(57)【要約】【課題】対象物体への取付後に機器が動き難く、取付作業の作業性が良い取付装置を提供する。【解決手段】取付装置は、対象物体に固定される第１部材と、機器に設けられ、前記第１部材に連結される第２部材と、軸部を有する固定部材と、前記軸部を通す孔を有する環状部材と、備える。前記第１部材は、前記軸部が挿入される第１固定部材用孔と、前記第１固定部材用孔を中心とする同一円周上に複数配列される第１貫通孔と、を有し、前記第２部材は、前記軸部が挿入される第２固定部材用孔と、前記第２固定部材用孔を中心とする同一円周上に複数配列される第２貫通孔と、を有し、前記環状部材は、前記第１固定部材用孔と前記第２固定部材用孔とを重ねて前記固定部材による固定が行われる際に、複数の前記第１貫通孔のいずれか１つと、複数の前記第２貫通孔のいずれか１つとに挿入される爪部を有する。【選択図】図２
2018179088.tif 000002
【特許請求の範囲】
【請求項１】
機器を対象物体に取り付ける取付装置であって、
前記対象物体に固定される第１部材と、
前記機器に設けられ、前記第１部材に連結される第２部材と、
軸部を有する固定部材と、
前記軸部を通す環状部材と、
を備え、
前記第１部材は、
前記軸部が挿入される第１固定部材用孔と、
前記第１固定部材用孔を中心とする同一円周上に複数配列される第１貫通孔と、
を有し、
前記第２部材は、
前記軸部が挿入される第２固定部材用孔と、
前記第２固定部材用孔を中心とする同一円周上に複数配列される第２貫通孔と、
を有し、
前記環状部材は、前記第１固定部材用孔と前記第２固定部材用孔とを重ねて前記固定部材による固定が行われる際に、複数の前記第１貫通孔のいずれか１つと、複数の前記第２貫通孔のいずれか１つとに挿入される爪部を有する、取付装置。
【請求項２】
複数の前記第１貫通孔と、複数の前記第２貫通孔とは、それぞれ、前記同一円周上に等間隔で配列されている、請求項１に記載の取付装置。
【請求項３】
前記第１固定部材用孔の中心から隣り合う２つの前記第１貫通孔の中心に向かう２つの直線がなす角度を第１角度とし、
前記第２固定部材用孔の中心から隣り合う２つの前記第２貫通孔の中心に向かう２つの直線がなす角度を第２角度とした場合に、
前記第１角度と前記第２角度とは異なる、請求項２に記載の取付装置。
【請求項４】
前記第１角度と前記第２角度との差が、前記対象物体に対する前記機器の取付角の変更可能な最小角度に等しい、請求項３に記載の取付装置。
【請求項５】
前記第１角度と前記第２角度とは、互いに非整数倍の関係である、請求項３に記載の取付装置。
【請求項６】
前記第１部材は、互いに対向配置される一対の第１壁部を有し、
前記第２部材は、互いに対向配置される一対の第２壁部を有し、
前記第１部材と前記第２部材とは、前記一対の第１壁部の間に前記一対の第２壁部が配置されるか、又は、前記一対の第２壁部の間に前記一対の第１壁部が配置されることによって連結され、
前記第１固定部材用孔は、前記一対の第１壁部のそれぞれに設けられ、
前記第２固定部材用孔は、前記一対の第２壁部のそれぞれに設けられている、請求項１から５のいずれか１項に記載の取付装置。
【請求項７】
前記第１貫通孔は、前記一対の第１壁部の一方にのみ設けられ、
前記第２貫通孔は、前記一対の第２壁部の一方にのみ設けられている、請求項６に記載の取付装置。
【請求項８】
前記機器はカメラである、請求項１から７のいずれか１項に記載の取付装置。
【発明の詳細な説明】
【技術分野】
【０００１】
本発明は、機器を対象物体に取り付ける取付装置に関する。
【背景技術】
【０００２】
従来、車載用のカメラは、車両に取り付けられるブラケットを利用して車両に固定される。例えば車両後方を撮影するカメラは、ブラケットを介して車両に設置される際に、上下方向の取付角を正確に取り付けることが要求される。また、このようなカメラは、車両への設置後は、簡単に動かないことが要求される。
【０００３】
例えば、ブラケットは、カメラ本体の左右の側面において各１箇所ずつネジを配置してカメラを固定する構成とされる。しかし、この構成では、カメラを固定した位置に維持する力が十分ではなく、外力によってカメラの角度が変わってしまう可能性が高くなる。この点、ネジの固定箇所が左右の各側面につき２箇所となる固定構造が採用されると、固定した位置を維持する力は向上する。
【０００４】
なお、本明細書で説明する技術に関連する技術を開示した文献として、例えば特許文献１及び２が挙げられる。
【先行技術文献】
【特許文献】
【０００５】
【特許文献１】特開２０１１−２１３１９３号公報
【特許文献２】実用新案登録第３０９２３９１号
【発明の概要】
【発明が解決しようとする課題】
【０００６】
ネジの固定箇所が左右の各側面につき２箇所となる構造が採用される場合、例えば、カメラの取付角の調節が可能となるように、ブラケットの支点でない方の孔は長孔とされる。この場合、治具等を使用しないと、取付角が正確な値とされたカメラの設置が難しく、作業性が必ずしも良くない。
【０００７】
本発明は、上記課題に鑑みてなされたものであり、対象物体への取付後に機器が動き難く、取付作業の作業性が良い取付装置を提供することを目的とする。
【課題を解決するための手段】
【０００８】
上記目的を達成するために本発明の取付装置は、機器を対象物体に取り付ける取付装置であって、前記対象物体に固定される第１部材と、前記機器に設けられ、前記第１部材に連結される第２部材と、軸部を有する固定部材と、前記軸部を通す環状部材と、を備え、前記第１部材は、前記軸部が挿入される第１固定部材用孔と、前記第１固定部材用孔を中心とする同一円周上に複数配列される第１貫通孔と、を有し、前記第２部材は、前記軸部が挿入される第２固定部材用孔と、前記第２固定部材用孔を中心とする同一円周上に複数配列される第２貫通孔と、を有し、前記環状部材は、前記第１固定部材用孔と前記第２固定部材用孔とを重ねて前記固定部材による固定が行われる際に、複数の前記第１貫通孔のいずれか１つと、複数の前記第２貫通孔のいずれか１つとに挿入される爪部を有する構成（第１の構成）になっている。
【０００９】
上記第１の構成の取付装置において、複数の前記第１貫通孔と、複数の前記第２貫通孔とは、それぞれ、前記同一円周上に等間隔で配列されている構成（第２の構成）であることが好ましい。
【００１０】
上記第２の構成の取付装置において、前記第１固定部材用孔の中心から隣り合う２つの前記第１貫通孔の中心に向かう２つの直線がなす角度を第１角度とし、前記第２固定部材用孔の中心から隣り合う２つの前記第２貫通孔の中心に向かう２つの直線がなす角度を第２角度とした場合に、前記第１角度と前記第２角度とは異なる構成（第３の構成）であることが好ましい。
【００１１】
上記第３の構成の取付装置において、前記第１角度と前記第２角度との差が、前記対象物体に対する前記機器の取付角の変更可能な最小角度に等しい構成（第４の構成）であることが好ましい。
【００１２】
上記第３の構成の取付装置において、前記第１角度と前記第２角度とは、互いに非整数倍の関係である構成（第５の構成）が好ましい。
【００１３】
上記第１から第５のいずれかの構成の取付装置において、前記第１部材は、互いに対向配置される一対の第１壁部を有し、前記第２部材は、互いに対向配置される一対の第２壁部を有し、前記第１部材と前記第２部材とは、前記一対の第１壁部の間に前記一対の第２壁部が配置されるか、又は、前記一対の第２壁部の間に前記一対の第１壁部が配置されることによって連結され、前記第１固定部材用孔は、前記一対の第１壁部のそれぞれに設けられ、前記第２固定部材用孔は、前記一対の第２壁部のそれぞれに設けられている構成（第６の構成）であることが好ましい。
【００１４】
上記第６の構成の取付装置において、前記第１貫通孔は、前記一対の第１壁部の一方にのみ設けられ、前記第２貫通孔は、前記一対の第２壁部の一方にのみ設けられている構成（第７の構成）であることが好ましい。
【００１５】
上記第１から第７のいずれかの構成の取付装置において、前記機器はカメラである構成（第８の構成）であってよい。
【発明の効果】
【００１６】
本発明によると、対象物体への取付後に機器が動き難く、取付作業の作業性が良い取付装置を提供することができる。
【図面の簡単な説明】
【００１７】
【図１】取付装置が適用された車両を示す概略斜視図
【図２】取付装置の構成を示す概略斜視図
【図３】取付装置の構成を示す概略分解斜視図
【図４】第１部材と後方扉との関係を示す図
【図５】第１部材を側面から見た図
【図６】第２部材を側面から見た図
【図７】第１部材と第２部材とが連結された状態を示す概略断面図
【図８】取付装置におけるカメラの取付角の調節について説明するための図
【図９】取付装置におけるカメラの取付角の調節について説明するための図
【図１０】取付装置におけるカメラの取付角の調節について説明するための図
【図１１】第２変形例における第１部材と第２部材との関係を示す図
【図１２】第３変形例における第２部材について説明するための図
【発明を実施するための形態】
【００１８】
以下、本発明の実施形態に係る取付装置について詳細に説明する。
【００１９】
＜１．取付装置の概要＞
本発明の実施形態に係る取付装置は、機器を対象物体に取り付ける装置である。詳細には、取付装置１は、機器を角度調節して対象物体に取り付ける装置である。本実施の形態では、一例として機器がカメラ、対象物体が車両である。なお、本明細書では、カメラが取り付けられる車両を基準として前後、左右、上下の表現を用いる。ただし、本明細書における前後、左右、上下は、あくまで説明の便宜のために定義した方向であって、本発明に係る取付装置の使用時の姿勢を限定する意図はない。
【００２０】
図１は、本発明の実施形態に係る取付装置１が適用された車両１００を示す概略斜視図である。取付装置１は、車両１００の後方扉１０１に配置される。取付装置１によって後方扉１０１に固定されるカメラは、車両後方を映す。カメラによって映された映像は、例えば運転席近傍に設けられるモニタ（不図示）に映し出される。
【００２１】
後方扉１０１は、車両１００の荷室を開閉する金属製の扉である。後方扉１０１の中央部より少し下方には、ナンバープレート１０２が配置される。後方扉１０１のナンバープレート１０２より上の位置には、樹脂製のガーニッシュ１０３が設けられる。取付装置１は、後方扉１０１の本体部分に固定される。また、取付装置１は、カメラによる撮影に支障のない範囲でガーニッシュ１０３に覆われる。
【００２２】
なお、ガーニッシュ１０３には、例えば、後方扉１０１の開閉操作を行うための開閉ボタンが取り付けられる。開閉ボタンの操作を行う際に、取付装置１によって固定されるカメラに誤って手が触れる可能性がある。取付装置１は、カメラに誤って手が触れた場合でも、カメラを設定された取付位置に維持することができる。
【００２３】
＜２．取付装置の構成＞
図２は、本発明の実施形態に係る取付装置１の構成を示す概略斜視図である。図３は、本発明の実施形態に係る取付装置１の構成を示す概略分解斜視図である。なお、図２及び図３には、取付装置１によって車両１００に取り付けられるカメラ２も示されている。図２及び図３に示すように、取付装置１は、第１部材１０と、第２部材２０と、固定部材３０と、環状部材４０と、を備える。
【００２４】
第１部材１０は対象物体１００に固定される。詳細には、第１部材１０は、後方扉１０１に固定される。第１部材１０は、例えば板金を加工して形成される。ただし、第１部材１０を構成する素材は、金属に限定されず、樹脂等の他の素材であってもよい。第１部材１０は、強度の強い素材で構成されることが好ましい。
【００２５】
第１部材１０は、上から見た場合にＵ字形状である。第１部材１０は、互いに対向配置される一対の第１壁部１１ａ、１１ｂを有する。一対の第１壁部１１ａ、１１ｂの外形及びサイズは同じである。一対の第１壁部１１ａ、１１ｂのそれぞれには孔が設けられているが、この点の詳細については後述する。第１部材１０は矩形板状の第１連結部１２を有する。第１連結部１２は、一対の第１壁部１１ａ、１１ｂの一端同士を連結する。一対の第１壁部１１ａ、１１ｂは、第１連結部１２を挟んで対称配置されている。一対の第１壁部１１ａ、１１ｂは、第１連結部１２の板面１２ａに対して垂直な方向に延びている。
【００２６】
第１連結部１２は一対の取付孔１２１ａ、１２１ｂを有する。一対の取付孔１２１ａ、１２１ｂは、第１連結部１２を二等分する二等分面に対して対称配置される。なお、ここでいう二等分面は、一対の第１壁部１１ａ、１１ｂと平行な面である。一対の取付孔１２１ａ、１２１ｂは、詳細には丸孔である。
【００２７】
図４は、第１部材１０と後方扉１０１との関係を示す図である。図４に示すように、第１部材１０は、後方扉１０１の被取付面１０１ａに取り付けられる。詳細には、第１部材１０は、第１連結部１２の板面１２ａが被取付面１０１ａと平行にされた状態で後方扉１０１に取り付けられる。なお、第１部材１０が後方扉１０１に取り付けられた状態で、一対の第１壁部１１ａ、１１ｂは、左右方向に対向し、第１連結部１２から後方に延びる。第１部材１０は、一対の取付孔１２１ａ、１２１ｂのそれぞれに通される２本のボルト３と、各ボルト３に取り付けられる２つナット４とによって、後方扉１０１に固定される。固定に用いられるボルト３とナット４の数は適宜変更されてよい。第１部材１０を後方扉１０１に固定する手法は他の手法であってもよい。場合によっては、固定手段として接着剤等が使用されてもよい。
【００２８】
第２部材２０は機器２に設けられる。詳細には、第２部材２０は、カメラ２の、レンズ２ａが配置される端部と反対側の端部に設けられる。本実施の形態では、第２部材２０は、カメラ２にネジ等の留め具を用いて取り付けられている。ただし、第２部材２０は、接着剤等の他の固定手段によってカメラ２に取り付けられてもよい。第２部材２０は、第１部材１０に連結される。当該連結の詳細な構造については後述する。第２部材２０は、例えば板金を加工して形成される。ただし、第２部材２０を構成する素材は、金属に限定されず、樹脂等の他の素材であってもよい。第２部材２０は、強度の強い素材で構成されることが好ましい。
【００２９】
第２部材２０は、上から見た場合にＵ字形状である。第２部材２０は、互いに対向配置される一対の第２壁部２１ａ、２１ｂを有する。一対の第２壁部２１ａ、２１ｂの外形及びサイズは同じである。一対の第２壁部２１ａ、２１ｂのそれぞれには孔が設けられているが、この点の詳細については後述する。第２部材２０は矩形板状の第２連結部２２を有する。第２連結部２２は、一対の第２壁部２１ａ、２１ｂの一端同士を連結する。一対の第１壁部２１ａ、２１ｂは、第２連結部２２を挟んで対称配置されている。一対の第２壁部２１ａ、２１ｂは、第２連結部２２の板面２２ａに対して垂直な方向に延びている。
【００３０】
なお、第２部材２０は、第２連結部２２が留め具によってカメラ２に固定されることによって、カメラ２に取り付けられる。一対の第２壁部２１ａ、２１ｂは、第２連結部２２からカメラ２と反対側に延びる。第２部材２０が、後方扉１０１に固定された第１部材１０に連結された状態において、一対の第２壁部２１ａ、２１ｂは、左右方向に対向し、第２連結部２２から前方に延びる。第１壁部１１ａ、１１ｂと、第２壁部２１ａ、２１ｂとでは、連結部１２、２２から延びる方向が逆向きとなる。
【００３１】
固定部材３０は、本実施の形態ではネジである。ただし、これは例示にすぎず、固定部材３０は、例えば、かしめ固定に用いられるリベット、プッシュナットと組になって使用される軸部材、スナップフィット固定に使用される先端に保持部（凸部等）を有する軸部材等であってよい。すなわち、第１部材１０と第２部材２０との固定は、ネジ以外の方法で固定されてもよい。固定部材３０がネジでない場合、固定部材３０が挿入される孔の形状等は、本実施の形態の構成から適宜変更されてよい。本実施の形態のネジ３０は、ネジ山が形成された軸部３０ａを有する。ネジ山は、軸部３０ａに螺旋状に形成される。ネジ３０は、軸部３０ａの一方の端部に頭部３０ｂを有する。頭部３０ｂは、ドライバ等のネジを締め付ける工具の一部を挿し込む溝３０ｃを有する。本実施の形態では、頭部３０ｂには座金が一体的に設けられているが、これは一例であり、頭部３０ｂに座金が一体化されていない構成としてもよい。ネジ３０は、強度の強い金属製のネジが好ましい。ただし、ネジ３０は、樹脂製のネジ等、他の素材で構成されてもよい。本実施の形態では、取付装置３０は、２本のネジ３０を有するが、この点の詳細については後述する。
【００３２】
環状部材４０は軸部３０ａを通す孔４０ａを有する。詳細には、環状部材４０は、中央部に円形状の孔４０ａを有する円環状の板状部材である。環状部材４０は爪部４０ｂを有する。爪部４０ｂは、環状部材４０の外縁から、孔４０ａの延びる方向と平行な方向に延びる。本実施の形態では爪部４０ｂは矩形板状である。爪部４０ｂは、場合によっては円柱状等の他の形状であってもよい。本実施の形態では、環状部材４０は金属製である。環状部材４０は、板金を加工して形成される。環状部材４０は、強度の強い素材で構成されることが好ましいが、樹脂等の他の素材で構成されてもよい。爪部４０ｂの使用方法の詳細については後述する。
【００３３】
図５は、第１部材１０を側面から見た図である。詳細には、図５は、後方扉１０１に取り付けられた第１部材１０を右から見た場合を想定した側面図である。図３及び図５に示すように、第１部材１０は、第１ネジ用孔１１１と、第１貫通孔１１２とを有する。第１ネジ用孔１１１には、軸部３０ａが挿入される。第１ネジ用孔１１１は、本発明の、軸部が挿入される第１固定部材用孔の一例である。第１貫通孔１１２は、第１ネジ用孔１１１を中心とする同一円周上に複数配列される。
【００３４】
詳細には、第１ネジ用孔１１１は円形状である。第１ネジ用孔１１１は、一対の第１壁部１１ａ、１１ｂのそれぞれに設けられる。各第１ネジ用孔１１１は、第１壁部１１の略中央部に設けられる。対向する第１ネジ用孔１１１の中心位置は、一対の第１壁部１１ａ、１１ｂの対向方向からの平面視において一致する。本実施の形態では、第１ネジ用孔１１１の内面にはネジが切られていない。
【００３５】
第１貫通孔１１２は、一対の第１壁部１１ａ、１１ｂの一方にのみ設けられる。詳細には、第１貫通孔１１２は、第１部材１０が後方扉１０１に取り付けられた状態において右側に位置する第１壁部１１ａにのみ設けられる。第１貫通孔１１２には、爪部４０ｂが挿入される。本実施の形態では、第１貫通孔１１２は、矩形板状の爪部４０ｂの形状に合わせて矩形状である。例えば爪部４０ｂの形状が円柱状である場合、第１貫通孔１１２は円形状であってよい。本実施の形態では、複数の第１貫通孔１１２ａ〜１１２ｈの形状及びサイズは同一である。ただし、複数の第１貫通孔１１２ａ〜１１２ｈは互いに向きが異なる。
【００３６】
本実施の形態では、複数の第１貫通孔１１２ａ〜１１２ｈは、同一円周上に等間隔で配列される。第１ネジ用孔１１１の中心から、隣り合う２つの第１貫通孔１１２の中心に向かう２つの直線がなす角度を第１角度αとする。この場合、第１角度αは、いずれの隣り合う２つの第１貫通孔１１２を選択した場合にも同じ値になる。本実施の形態では、α＝３５°である。ただし、第１角度αの大きさは、カメラ２の角度調節に必要とされる角度等を考慮して適宜変更されてよい。
【００３７】
なお、場合によって、複数の第１貫通孔１１２ａ〜１１２ｈは等間隔で配列されなくてもよい。ただし、複数の第１貫通孔１１２ａ〜１１２ｈが等間隔に配列されることによって、例えば、角度調節の際に角度の確認作業が複雑になったり、勘違いが生じたりすることを避けることができ、角度調節作業をスムーズに行うことが可能になる。
【００３８】
本実施の形態では、複数の第１貫通孔１１２ａ〜１１２ｈの数は８つである。ただし、この数は例示であり、第１貫通孔１１２の数は、カメラ２の角度調節に必要とされる角度範囲等に応じて適宜変更されてよい。第１貫通孔１１２は、３６０°の範囲にわたって設けられてもよいが、本実施の形態のように３６０°より小さい範囲に設けられてもよい。本実施の形態ように構成すると、第１部材１０が必要以上に大きくなることを避けることができる。
【００３９】
図６は、第２部材２０を側面から見た図である。なお、図６には、理解を容易とするためのカメラ２も示されている。また、図６は、後方扉１０１に固定された第１部材１０に連結された第２部材２０を右から見た場合を想定した側面図である。図３及び図６に示すように、第２部材２０は、第２ネジ用孔２１１と、第２貫通孔２１２とを有する。第２ネジ用孔２１１には、軸部３０ａが挿入される。第２ネジ用孔２１１は、本発明の、軸部が挿入される第２固定部材用孔の一例である。第２貫通孔２１２は、第２ネジ用孔２１１を中心とする同一円周上に複数配列される。なお、複数の第１貫通孔１１２ａ〜１１２ｈが配列される円の直径と、複数の第２貫通孔２１２ａ〜２１２ｇが配列される円の直径とは同じである。
【００４０】
詳細には、第２ネジ用孔２１１は円形状である。第２ネジ用孔２１１の直径は、第１ネジ用孔１１１の直径と略同一である。第２ネジ用孔２１１は、一対の第２壁部２１ａ、２１ｂのそれぞれに設けられる。各第２ネジ用孔２１１は、第２壁部２１の略中央部に設けられる。対向する第２ネジ用孔２１１の中心位置は、一対の第２壁部２１ａ、２１ｂの対向方向からの平面視において一致する。本実施の形態では、第２ネジ用孔２１１の内面にはネジが切られている。
【００４１】
第２貫通孔２１２は、一対の第２壁部２１ａ、２１ｂの一方にのみ設けられる。詳細には、第２貫通孔２１２は、後方扉１０１に固定された第１部材１０に連結された状態において右側に位置する第２壁部２１ａにのみ設けられる。第２貫通孔２１２には、爪部４０ｂが挿入される。本実施の形態では、第２貫通孔２１２は、矩形板状の爪部４０ｂの形状に合わせて矩形状である。例えば爪部４０ｂの形状が円柱状である場合、第２貫通孔２１２は円形状であってよい。本実施の形態では、複数の第２貫通孔２１２ａ〜２１２ｇの形状及びサイズは同一である。ただし、複数の第２貫通孔２１２ａ〜２１２ｇは互いに向きが異なる。また、第２貫通孔２１２は第１貫通孔１１１と同一形状、同一サイズである。  
【００４２】
本実施の形態では、複数の第２貫通孔２１２ａ〜２１２ｇは、同一円周上に等間隔で配列される。第２ネジ用孔２１１の中心から、隣り合う２つの第２貫通孔２１２の中心に向かう２つの直線がなす角度を第２角度βとする。この場合、第２角度βは、いずれの隣り合う２つの第２貫通孔１１２を選択した場合にも同じ値になる。本実施の形態では、β＝４０°である。ただし、第２角度βの大きさは、カメラ２の角度調節に必要とされる角度等を考慮して適宜変更されてよい。第１角度αと第２角度βとは異なる角度である。これにより、カメラ２の調節角度を種々の角度で調節することが可能になっている。この点の詳細については後述する。
【００４３】
なお、場合によって、複数の第２貫通孔２１２ａ〜２１２ｇは等間隔で配列されなくてもよい。ただし、複数の第２貫通孔２１２ａ〜２１２ｇが等間隔に配列されることによって、例えば、角度調節の際に角度の確認作業が複雑になったり、勘違いが生じたりすることを避けることができ、角度調節作業をスムーズに行うことが可能になる。
【００４４】
本実施の形態では、複数の第２貫通孔２１２ａ〜２１２ｇの数は７つである。ただし、この数は例示であり、第２貫通孔２１２の数は、カメラ２の角度調節に必要とされる角度範囲等に応じて適宜変更されてよい。第２貫通孔２１２は、３６０°の範囲にわたって設けられてもよいが、本実施の形態のように３６０°より小さい範囲に設けられてもよい。本実施の形態ように構成すると、第２部材２０が必要以上に大きくなることを避けることができる。
【００４５】
図７は、第１部材１０と第２部材２０とが連結された状態を示す概略断面図である。図２及び図７に示すように、第１部材１０と第２部材２０とは、一対の第１壁部１１ａ、１１ｂの間に一対の第２壁部２１ａ、２１ｂが配置されることによって連結される。第１部材１０と第２部材２０とは、第１ネジ用孔１１１と第２ネジ用孔２１１とを重ねてネジ３０によって固定される。詳細には、第１ネジ用孔１１１と第２ネジ用孔２１１とは、互いの中心が一致するように重ねられている。ネジ３０は、第１壁部１１ａ、１１ｂの外側から、その軸部３０ａが第１ネジ用孔１１１及び第２ネジ用孔２１１に挿入されている。ネジ３０が締められた固定状態においては、左右の両側で、第１壁部１１ａ、１１ｂと第２壁部２１ａ、２１ｂとは互いに接触して重なっている。
【００４６】
本実施の形態では、右側において、第１貫通孔１１２が設けられた第１壁部１１ａと、第２貫通孔２１２が設けられた第２壁部２１ａとが重なっている。そして、第１貫通孔１１２及び第２貫通孔２１２が設けられる側（右側）において、ネジ３０の軸部３０ａは環状部材４０の孔４０ｃに通され、環状部材４０はネジ３０によって第１壁部１１ａに押し付けられている。環状部材４０の爪部４０ｂは、第１ネジ用孔１１１と第２ネジ用孔２１１とを重ねてネジ３０による固定が行われる際に、複数の第１貫通孔１１２ａ〜１１２ｈのいずれか１つと、複数の第２貫通孔２１２ａ〜２１２ｇのいずれか１つとに挿入されている。図２及び図７に示す例では、爪部４０ｂは、第１貫通孔１１２ｄ及び第２貫通孔２１２ｄに挿入されている。
【００４７】
第１部材１０と第２部材２０とがネジ３０によって固定された状態で、ネジ３０の中心軸と、環状部材４０の孔４０ａの中心と、第１ネジ用孔１１１の中心と、第２ネジ用孔２１１の中心とはほぼ一致する。ここで、ネジ３０の中心軸を基準として周方向という言葉を使用する。爪部４０ｂの周方向の幅Ｗ１（図３参照）は、第１貫通孔１１２及び第２貫通孔２１２の周方向の幅Ｗ２（図３参照）と同じか、若干小さいことが好ましい。これにより、周方向において、爪部４０ｂと第１貫通孔１１２、及び、爪部４０ｂと第２貫通孔２１２との間に、クリアランスが発生しない、或いは、殆ど発生しない状態にできる。
【００４８】
本実施の形態によれば、第１部材１０と第２部材２０とがネジ３０を介して取り付けられた状態において、互いに重ね合された第１壁部１１ａと第２壁部２１ａとの相対回転を爪部４０ｂによって阻止することができる。このために、例えば人の手がカメラ２に触れた場合でも、カメラ２の取付位置を動き難くできる。また、本実施の形態では、左右両側に第１ネジ用孔１１１及び第２ネジ用孔２１１を設けてネジ３０による固定が行われるために、カメラ２の取付位置をより動き難くできる。
【００４９】
また、本実施の形態によれば、ネジ３０締める前に環状部材４０をネジ３０に通して、爪部４０ｂを第１貫通孔１１２及び第２貫通孔２１２に挿入し、その後、ネジ３０を締めれば、第１部材１０と第２部材２０とを固定することができる。このために、カメラ２の取付作業が簡単であり、作業性を向上することができる。また、本実施の形態によれば、複数の第１貫通孔１１２ａ〜１１２ｈと、複数の第２貫通孔２１２ａ〜２１２ｇとから、爪部４０ｂを挿入する貫通孔をいかに選択するかによって、カメラ２の取付角を種々変更することができる。このために、角度測定したり、治具を用いたりすることなく、カメラ２の取付角の調節を簡単且つ適切に行うことができ、カメラ２の取付作業の作業性を向上することができる。
【００５０】
なお、本実施の形態では、第１部材１０と第２部材２０とは、一対の第１壁部１１ａ、１１ｂの間に一対の第２壁部２１ａ、２１ｂが配置されることによって連結される構成とした。これは例示であり、第１部材１０と第２部材２０とは、一対の第２壁部２１ａ、２１ｂの間に一対の第１壁部１１ａ、１１ｂが配置されることによって連結される構成としてもよい。この場合には、第１ネジ用孔１１１の内面にネジが切られ、第２ネジ用孔２１１の内面にはネジが切られない構成としてよい。
【００５１】
また、本実施の形態では、第１貫通孔１１２及び第２貫通孔２１２が右側の壁部１１ａ、２１ａにのみ設けられる構成としたが、これは例示にすぎない。例えば、第１貫通孔１１２及び第２貫通孔２１２が左側の壁部１１ｂ、２１ｂにのみ設けられる構成としてもよい。また、第１貫通孔１１２及び第２貫通孔２１２が右側の壁部１１ａ、２１ａ及び左側の壁部１１ｂ、２１ｂの両方に設けられる構成としてもよい。この場合、環状部材４０の数は１つではなく２つとなる。左右両側において爪部４０ｂによる固定を行うことによって、カメラ２の取付位置をより動き難くできる。
【００５２】
ところで、本実施の形態のように、カメラ２が後方扉１０１のガーニッシュに１０３に覆われる構成では、人の手によってカメラ２に加わる力は、カメラ２を持ち上げる方向の力が殆どであると予想される。すなわち、取付装置１の右側にはネジ３０を緩める方向の力が加わり、左側にはネジ３０を締める方向の力が加わることが殆どであると予想される。この点を考慮して、本実施の形態では、ネジ３０が緩む可能性がある方にのみ、第１貫通孔１１２及び第２貫通孔２１２を設けて、爪部４０ｂによる回転防止を行う構成としている。これにより、環状部材４０を配置する作業が左右のうちの一方のみで済むために、カメラ２の取付作業の作業性を向上することができる。
【００５３】
＜３．取付装置におけるカメラの取付角の調節＞
図８、図９及び図１０は、取付装置１におけるカメラ２の取付角の調節について説明するための図である。図８〜図１０は側面図である。図８、図９及び図１０においては、カメラ２の取付角が互いに異なっている。なお、図８〜図１０では、第１部材１０と第２部材２０との関係を理解しやすいように、第１部材１０を太い破線で示している。
【００５４】
図８は、カメラ２の取付角が０°である場合を示す。図８に示す状態は、爪部４０ｂが第１貫通孔１１２ｄと第２貫通孔２１２ｄとに挿入され、ネジ３０が締められることによって得られる。本明細書では、図８に示すカメラ２の取付位置を基準位置とし、当該基準位置におけるカメラ２の光軸方向を０°とする。また、本明細書では、図８に示す基準位置から、カメラ２が上方に傾けられた場合をプラス方向、下方に傾けられる場合をマイナス方向とする。
【００５５】
図９は、カメラ２の取付角が−５°である場合を示す。図９に示す状態は、爪部４０ｂが第１貫通孔１１２ｃと第２貫通孔２１２ｃとに挿入され、ネジ３０が締められることによって得られる。図８に示す基準位置から、爪部４０ｂが挿入される第１貫通孔１１２の位置だけを、第１貫通孔１１２ｄから第１貫通孔１１２ｃに変更すると、カメラ２の光軸ＯＡは３５°（＝第１角度α）上側に向く。一方、図８に示す基準位置から、爪部４０ｂが挿入される第２貫通孔２１２の位置だけを、第２貫通孔２１２ｄから第２貫通孔２１２ｃに変更すると、カメラ２の光軸ＯＡは４０°（＝第２角度β）下側に向く。図９に示す状態は、これら２つの組み合わせであるために、カメラの光軸ＯＡの向きは−５°（＝３５°＋（−４０°））となる。
【００５６】
図１０は、カメラ２の取付角が−１０°である場合を示す。図１０に示す状態は、爪部４０ｂが第１貫通孔１１２ｂと第２貫通孔２１２ｂとに挿入され、ネジ３０が締められることによって得られる。図８に示す基準位置から、爪部４０ｂが挿入される第１貫通孔１１２の位置だけを、第１貫通孔１１２ｄから第１貫通孔１１２ｂに変更すると、カメラ２の光軸ＯＡは７０°（＝第１角度α×２）上側に向く。一方、図８に示す基準位置から、爪部４０ｂが挿入される第２貫通孔２１２の位置だけを、第２貫通孔２１２ｄから第２貫通孔２１２ｂに変更すると、カメラ２の光軸ＯＡは８０°（＝第２角度β×２）下側に向く。図１０に示す状態は、これら２つの組み合わせであるために、カメラの光軸ＯＡの向きは−１０°（＝７０°＋（−８０°））となる。
【００５７】
なお、以上では、図８に示す状態を基準として、図９及び図１０に示す状態が得られることを説明した。ただし、これは説明の便宜上のことであり、図９及び図１０に示す状態を得るに際して、いちいち図８に示す基準位置に配置された状態を先に得る必要はない。目的の取付角が得られるように、爪部４０ｂが挿入される第１貫通孔１１２と第２貫通孔２１２との組み合わせを決め、それに合わせて爪部４０ｂの挿入及びネジ３０の取付が行わればよい。なお、第１貫通孔１１２と第２貫通孔２１２の組み合わせと、それによって得られるカメラ２の取付角との関係を示す表を作成しておくことが好ましい。また、表に示される貫通孔が、取付装置におけるどの貫通孔を指すのかが即座に把握できるように、各貫通孔１１２、２１２の周囲に、各貫通孔の名称となる番号や記号等を刻印しておくことが好ましい。これによって、カメラ２の取付角の調節作業の作業性を向上することができる。
【００５８】
また、以上においては、カメラ２の取付角がマイナスとなる場合のみを示したが、これは例示にすぎない。例えば、爪部４０ｂが第１貫通孔１１２ｅと第２貫通孔２１２ｅとに挿入される状態とすれば、カメラ２の取付角は５°となる。車両１００の後方を映すカメラ２の光軸ＯＡは、例えば、水平方向に対して斜め下方に４５°傾いた状態に調節される。このために、第１部材１０が取り付けられる被取付面１０１ａ（図４参照）が鉛直方向に対して平行な面である場合には、カメラ２の取付角は、マイナス方向のみの調節ができればよい。しかし、被取付面１０１ａは、鉛直方向に対して傾斜した面であることもある。被取付面１０１ａが鉛直方向に対して傾斜した面である場合、カメラ２の取付角はプラス方向への調節が必要な場合も生じる。このために、本実施の形態では、カメラ２の取付角をプラス方向へも調節できる構成としている。
【００５９】
本実施の形態では、第１角度α（＝３５°）と第２角度β（＝４０°）との差（＝５°）が、対象物体（車両）１００に対する機器（カメラ）２の取付角の変更可能な最小単位に等しくなっている。本構成では、希望する角度調節の最小単位を、第１角度αと第２角度βとを決定することによって得ることができるために便利である。また、角度調節の最小単位が、第１角度α及び第２角度βから簡単に求められる数字であるために、取付角の調節を行う作業者が混乱を起し難くできる。
【００６０】
本実施の形態では、第１角度α（＝３５°）と第２角度β（＝４０°）とは、互いに非整数倍の関係である。このために、第１角度α及び第２角度βに加えて、それらよりも小さい角度でカメラ２の取付角を調節することが可能である。すなわち、本実施の形態では、カメラ２の取付角を細かく調節することが可能である。また、本実施の形態では、第１部材１０の第１角度α、及び、第２部材２０の第２角度βを、それぞれ、角度調節の最小単位よりも大きくすることができる。このために、第１貫通孔１１２及び第２貫通孔２１２の周方向の幅Ｗ２（図３参照）、及び、これらに挿入される爪部４０ｂの周方向の幅Ｗ１を大きくすることができ、第１部材１０と第２部材２０とを固定する強度を高めることができる。すなわち、本実施の形態では、車両１００にカメラ２を安定的に固定しつつ、カメラ２の取付角を細かく調節することができる。
【００６１】
＜４．変形例＞
＜４−１．第１変形例＞
以上においては、第１部材１０と第２部材２０とを固定するネジ３０を２本としたが、この数に限定される趣旨ではない。例えば、ネジ３０の数は１本でもよい。１本のネジの軸部は、例えば、第１部材１０の一対の第１壁部１１ａ、１１ｂのそれぞれに設けられる第１ネジ用孔１１１、及び、第２部材２０の一対の第２壁部２１ａ、２１ｂのそれぞれに設けられる第２ネジ用孔２１１の全てに通される構成であってよい。この場合、いずれかのネジ用孔１１１、２１１にネジを切ってもよいが、いずれのネジ用孔にもネジを切らず、ネジはナットとの組み合わせで使用されてもよい。
【００６２】
＜４−２．第２変形例＞
第２変形例も、第１部材１０と第２部材２０とが１本のネジ３０で固定される構成である。図１１は、第２変形例における第１部材１０と第２部材２０との関係を示す図である。第２変形例では、環状部材４０が取り付けられる右側の構成は上述の構成と同じであり、左側の構成が上述の構成と異なる。
【００６３】
第１貫通孔１１２が設けられない左側の第１壁部１１ｂには、第１ネジ用孔１１１に替えて、左方に凹む凹部１１３が設けられる。なお、凹部１１３は貫通孔に変更されてよい。第２貫通孔２１２が設けられない左側の第２壁部２１ｂには、第２ネジ用孔２１１に替えて、左方に突出する凸部２１３が設けられる。凹部１１３と凸部２１３との嵌合により、第１壁部１１ｂに対して第２壁部２１ｂの位置を位置決めできる。本構成では、凹部１１３と凸部２１３の嵌合を用いて第１部材１０と第２部材２０とを仮固定した状態で、右側において環状部材４０の取付作業等を行うことができるために、カメラ２の取付作業の作業性を向上することができる。
【００６４】
＜４−３．第３変形例＞
図１２は、第３変形例における第２部材２０について説明するための図である。以上に示した実施形態では、第２部材２０は、カメラ２とは別に準備され、カメラ２に後から取り付けられる構成とした。しかし、これは例示にすぎない。第２部材２０は、カメラ２に設けられればよく、カメラ２を構成する部材であってもよい。図１２に示すように、第２部材２０は、カメラ２の筐体であってよい。第３変形例では、カメラ２の筐体の側面に、第２ネジ用孔２１１及び複数の第２貫通孔２１２が形成されている。このような構成でも、カメラ２が設定された取付位置から動き難く、取付作業の作業性が良い取付装置を得られる。
【００６５】
＜４−４．その他＞
以上に示した実施形態や変形例の構成は、本発明の例示にすぎない。実施形態や変形例の構成は、本発明の技術的思想を超えない範囲で適宜変更されてもよい。また、複数の実施形態及び変形例は、可能な範囲で組み合わせて実施されてよい。また、本発明は、カメラを車両に取り付ける装置だけでなく、機器を対象物体に取り付ける装置として広く適用可能である。例えば、本発明は、車載レーダの車体への取付や、家庭用のパラボラアンテナの外壁への取付に適用することができる。家庭用のパラボラアンテナの外壁への取付に適用する場合、例えば、その地域の緯度によって、爪部４０ｂを挿入するための貫通孔としてどの組み合わせを使えばよいかを取扱説明書に記載しておく等することが好ましい。
【符号の説明】
【００６６】
１・・・取付装置
２・・・カメラ（機器）
１０・・・第１部材
１１ａ、１１ｂ・・・第１壁部
２０・・・第２部材
２１ａ、２１ｂ・・・第２壁部
３０・・・ネジ（固定部材）
３０ａ・・・軸部
４０・・・環状部材
４０ａ・・・孔
４０ｂ・・・爪部
１１１・・・第１ネジ用孔（第１固定部材用孔）
１１２・・・第１貫通孔
１００・・・車両（対象物体）
２１１・・・第２ネジ用孔（第２固定部材用孔）
２１２・・・第２貫通孔
α・・・第１角度
β・・・第２角度
【図１】
2018179088.tif 000003
【図２】
2018179088.tif 000004
【図３】
2018179088.tif 000005
【図４】
2018179088.tif 000006
【図５】
2018179088.tif 000007
【図６】
2018179088.tif 000008
【図７】
2018179088.tif 000009
【図８】
2018179088.tif 000010
【図９】
2018179088.tif 000011
【図１０】
2018179088.tif 000012
【図１１】
2018179088.tif 000013
【図１２】
2018179088.tif 000014